【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
基材上にインクを印刷するための印刷システムであって、前記印刷システムは、
基材と印刷ヘッドとの間の相対的な移送を提供するためのモーションシステムと、
複数のモジュール式印刷ヘッドユニットと、
印刷を実行するために前記複数のモジュール式印刷ヘッドユニットのうちの選択された１つのモジュール式印刷ヘッドユニットに前記モーションシステムを選択的に係合するため、および、複数のモジュール式印刷ヘッドユニットのうちの前記選択された１つのモジュール式印刷ヘッドユニットから前記モーションシステムを選択的に係脱するための機械的インターフェースと、
前記複数のモジュール式印刷ヘッドユニットのうちの１つのモジュール式印刷ヘッドユニットが前記モーションシステムから係脱しているときに前記１つのモジュール式印刷ヘッドユニットにインクを再供給するためのインクシステムと、
制御システムおよび気体システムであって、各々は、前記モーションシステムに係合しているときに前記複数のモジュール式印刷ヘッドユニットのうちの前記選択された１つのモジュール式印刷ヘッドユニットに接続されるものである、制御システムおよび気体システムと
を備え、
前記機械的インターフェースは、
前記選択された１つのモジュール式印刷ヘッドユニットが前記モーションシステムに係合しているときに前記選択された１つのモジュール式印刷ヘッドユニットに前記気体システムを接続するための気体結合と、
前記選択された１つのモジュール式印刷ヘッドユニットが前記モーションシステムに係合しているときに前記制御システムを前記選択された１つのモジュール式印刷ヘッドユニットに電気的に接続するため、前記制御システムから前記選択された１つのモジュール式印刷ヘッドユニットに放出命令を提供するため、および、前記選択された１つのモジュール式印刷ヘッドユニットに特有の較正データを前記制御システムに提供するための電気結合であって、前記特有の較正データは、対応するモジュール式印刷ヘッドユニットにオンボード記憶されている、電気結合と
を備える、印刷システム。
【請求項２】
前記印刷システムは、スプリット軸印刷システムであり、前記モーションシステムは、第１のモーションシステムであり、前記印刷システムは、さらに、前記スプリット軸印刷システムに対して前記基材を移送するための第２のモーションシステムを備える、請求項１に記載の印刷システム。
【請求項３】
前記印刷システムは、さらに、周囲空気に対して印刷の間において前記基材および前記選択された１つのモジュール式印刷ヘッドユニットを封入するためのガス封入体を備える、請求項１に記載の印刷システム。
【請求項４】
前記選択された１つのモジュール式印刷ヘッドユニットに搭載された前記メモリは、また、前記複数のモジュール式印刷ヘッドユニットのうちの前記選択された１つのモジュール式印刷ヘッドユニットを一意に識別する識別コードを記憶するものであり、前記電気結合は、前記制御システムに前記識別コードを提供するものである、請求項１に記載の印刷システム。
【請求項５】
前記気体システムは、真空または加圧ガスのうちの少なくとも１つを提供するものである、請求項１に記載の印刷システム。
【請求項６】
前記インクは、前記基材上に有機発光ダイオード薄膜を形成するための材料を含む、請求項１に記載の印刷システム。
【請求項７】
前記複数のモジュール式印刷ヘッドユニットのうちの少なくとも１つのモジュール式印刷ヘッドユニットは、印刷ヘッドを備え、流体結合は、前記モーションシステムに係合していないときに前記複数のモジュール式印刷ヘッドユニットのうちの前記少なくとも１つのモジュール式印刷ヘッドユニットの前記印刷ヘッドの各々に前記インクシステムから前記インクを再供給するものであり、さらに、前記印刷ヘッドの各々は、前記インクを印刷するために選択的に制御される少なくとも５００個のノズルを備える、請求項１に記載の印刷システム。
【請求項８】
前記印刷システムは、さらに、対応する一意の位置において前記複数のモジュール式印刷ヘッドユニットの各々を保管するための保管部を備え、
前記選択された１つのモジュール式印刷ヘッドユニットに搭載された前記メモリは、また、前記保管部内の前記複数のモジュール式印刷ヘッドユニットのうちの前記選択された１つのモジュール式印刷ヘッドユニットの前記対応する一意の位置を識別するための情報を記憶するものであり、
前記電気結合は、前記複数のモジュール式印刷ヘッドユニットのうちの前記選択された１つのモジュール式印刷ヘッドユニットが前記モーションシステムに係合しているときに前記エレクトロニクスシステムに前記情報を提供するものである、請求項１に記載の印刷システム。
【請求項９】
前記機械的インターフェースは、前記モーションシステムに対する前記複数のモジュール式印刷ヘッドユニットの各１つのモジュール式印刷ヘッドユニットの歪みのない再現可能位置の接続を提供するものである、請求項１に記載の印刷システム。
【請求項１０】
前記機械的インターフェースは、前記複数のモジュール式印刷ヘッドユニットのうちの前記選択された１つのモジュール式印刷ヘッドユニットとして前記モーションシステムに係合しているときに前記モーションシステムに対して前記複数のモジュール式印刷ヘッドユニットの各々を再現可能に位置決めするための運動学的マウントを備える、請求項９に記載の印刷システム。
【請求項１１】
前記電気結合は、低充填状態を識別するための情報を前記選択された１つのモジュール式印刷ヘッドユニットから前記エレクトロニクスシステムに供給するものである、請求項１に記載の印刷システム。
【請求項１２】
前記電気結合は、ポゴピン結合を含む、請求項１に記載の印刷システム。
【請求項１３】
前記較正データは、前記選択された１つのモジュール式印刷ヘッドユニットに対する滴容量較正データを含む、請求項１に記載の印刷システム。
【請求項１４】
前記選択された１つのモジュール式印刷ヘッドユニットに搭載された前記メモリは、また、前記インクシステムによって、前記インクシステムによって前記選択された１つのモジュール式印刷ヘッドユニットに供給されるインクのタイプを識別する情報を記憶するものである、請求項１に記載の印刷システム。
【請求項１５】
前記モーションシステムは、前記複数のモジュール式印刷ヘッドユニットのうちの前記選択された１つのモジュール式印刷ヘッドユニットのサーベル角度を変更するための調節可能マウントを備え、前記サーベル角度は、前記基材の単位面積あたりのインクの印刷密度を調節するものである、請求項１に記載の印刷システム。
【請求項１６】
前記モーションシステムは、さらに、少なくとも２つの異なる自由度の各々において前記基材および前記印刷ヘッドを相互に対して位置決めするものであり、前記複数のモジュール式印刷ヘッドユニットのうちの前記選択された１つのモジュール式印刷ヘッドユニットは、自動およびロボットベースで前記制御システムの制御下で前記モーションシステムに対して係合および係脱するものである、請求項１に記載の印刷システム。
【請求項１７】
印刷システムのためのモジュール式印刷ヘッドユニットであって、前記印刷システムは、制御システム、インクシステム、気体システム、および、前記モジュール式印刷ヘッドユニットと基材との間の相対的な移送を提供するためのモーションシステムを有し、前記モジュール式印刷ヘッドユニットは、
印刷ヘッドであって、各印刷ヘッドは、前記基材上にインクの液滴を吐出するための複数のノズルを有する、印刷ヘッドと、
前記モーションシステムに対して前記モジュール式印刷ヘッドユニットを選択的に係合し、前記モジュール式印刷ヘッドユニットを選択的に係脱するための機械的インターフェースと、
オンボードインクリザーバから前記複数のノズルに前記インクを供給するための流体マニホールドと、
気体マニホールドと、
エレクトロニクスシステムと
を備え、
前記エレクトロニクスシステムは、前記モジュール式印刷ヘッドユニットに特有の較正データを記憶するためのオンボードメモリを備え、
前記機械的インターフェースは、さらに、
前記モーションシステムが前記モジュール式印刷ヘッドユニットに係合しているときに前記気体マニホールドを前記気体システムに結合するための気体結合と、
各々、前記モーションシステムが前記モジュール式印刷ヘッドユニットに係合しているときに、前記制御システムからノズル放出命令を受け取るため、前記ノズル放出命令を前記エレクトロニクスシステムに提供するため、および、前記エレクトロニクスシステムから前記制御システムに前記較正データを提供するための電気結合と
を備え、
前記モジュール式印刷ヘッドユニットは、前記モーションシステムが前記モジュール式印刷ヘッドユニットから係脱しているときに前記オンボードインクリザーバにインクを再供給するためのポートを備える、モジュール式印刷ヘッドユニット。
【請求項１８】
前記メモリは、また、前記印刷システムの他の印刷ヘッドユニットに対して前記モジュール式印刷ヘッドユニットを一意に識別する識別コードを記憶するものであり、前記電気結合は、前記モジュール式印刷ヘッドユニットが前記モーションシステムに係合しているときに前記印刷システムの前記制御システムに前記識別コードを供給するものである、請求項１７に記載のモジュール式印刷ヘッドユニット。
【請求項１９】
前記気体結合は、真空または加圧ガスのうちの少なくとも１つを前記気体システムから前記気体マニホールドに結合するものである、請求項１７に記載のモジュール式印刷ヘッドユニット。
【請求項２０】
前記インクは、前記基材上に有機発光ダイオード薄膜を形成するための材料を含む、請求項１７に記載のモジュール式印刷ヘッドユニット。
【請求項２１】
前記印刷ヘッドの各々は、前記流体マニホールドと流体連絡する少なくとも５００個のノズルを備える、請求項１７に記載のモジュール式印刷ヘッドユニット。
【請求項２２】
前記印刷システムは、さらに、保管部を備え、前記保管部は、複数の印刷ヘッドユニットを各々前記保管部内の対応する一意の位置において保管するものであり、前記複数の印刷ヘッドユニットは、前記モジュール式印刷ヘッドユニットを含み、
前記オンボードメモリは、また、前記保管部内の前記モジュール式印刷ヘッドユニットに対応する前記対応する一意の位置を識別する情報を記憶するものであり、
前記電気結合は、前記情報を前記エレクトロニクスシステムから前記制御システムに提供するものである、請求項１７に記載のモジュール式印刷ヘッドユニット。
【請求項２３】
前記機械的インターフェースは、前記モーションシステムに対する前記モジュール式印刷ヘッドユニットの歪みのない再現可能位置の接続を提供するものである、請求項１７に記載のモジュール式印刷ヘッドユニット。
【請求項２４】
前記モジュール式印刷ヘッドユニットは、さらに、前記モーションシステムに対して前記モジュール式印刷ヘッドユニットを再現可能に位置決めするための運動学的マウントを備える、請求項２３に記載のモジュール式印刷ヘッドユニット。
【請求項２５】
前記電気結合は、低充填状態を識別するための情報を前記モジュール式印刷ヘッドユニットから前記印刷システムに供給するものであり、前記印刷システムは、前記低充填状態を識別する前記情報に応答して、前記モジュール式印刷ヘッドユニットが前記モーションシステムから係脱しているときに、前記モジュール式印刷ヘッドユニットの前記オンボードインクリザーバにインクを選択的に再供給するものである、請求項１７に記載のモジュール式印刷ヘッドユニット。
【請求項２６】
前記電気結合は、ポゴピン結合を含む、請求項１７に記載のモジュール式印刷ヘッドユニット。
【請求項２７】
前記較正データは、前記モジュール式印刷ヘッドユニットに対する滴容量較正データを含む、請求項１７に記載のモジュール式印刷ヘッドユニット。
【請求項２８】
前記オンボードメモリは、また、前記少なくとも１つの流体接続を介して前記インクシステムによって前記モジュール式印刷ヘッドユニットに供給されるインクのタイプを識別する情報を記憶するものであり、前記モジュール式印刷ヘッドユニットは、さらに、前記モジュール式印刷ヘッドユニットが前記モーションシステムに係合しているときにおける過剰インクの廃棄のためのオンボード廃棄物容器を備える、請求項１７に記載のモジュール式印刷ヘッドユニット。
【請求項２９】
エレクトロニクス製品の層を製造する方法であって、前記方法は、
印刷システムのモーションシステムを使用することにより、基材と印刷ヘッドとの間の相対的な移送を提供することと、
機械的インターフェースを使用して、前記印刷システムの複数のモジュール式印刷ヘッドユニットのうちの選択された１つのモジュール式印刷ヘッドユニットに対して前記モーションシステムを選択的に係合し、前記モーションシステムを選択的に係脱することであって、前記複数のモジュール式印刷ヘッドユニットの各々は、複数のノズルを有する、ことと、
前記複数のモジュール式印刷ヘッドユニットのうちの前記選択された１つのモジュール式印刷ヘッドユニットを使用して前記基材上にインクを印刷することであって、前記インクを印刷することは、さらに、前記印刷システムの気体システムを使用することと、前記印刷システムの制御システムを使用することとを含む、ことと、
前記印刷システムのインクシステムから、前記モーションシステムから係脱しているときに前記複数のモジュール式印刷ヘッドユニットのうちの前記選択された１つのモジュール式印刷ヘッドユニットにインクを再供給することと、
前記基材上に堆積された前記インクを処理することにより、前記基材上に堆積された前記インクから前記層を形成することと
を含み、
選択的に係合することは、さらに、
気体結合を使用することにより、前記モーションシステムが前記複数のモジュール式印刷ヘッドユニットのうちの前記選択された１つのモジュール式印刷ヘッドユニットに係合しているときに前記選択された１つのモジュール式印刷ヘッドユニットを前記気体システムに結合することと、
電気結合を使用することにより、前記モーションシステムが前記選択された１つのモジュール式印刷ヘッドユニットに係合しているときに前記選択された１つのモジュール式印刷ヘッドユニットに搭載されたメモリから前記制御システムに較正データを提供し、かつ、また前記モーションシステムが前記選択された１つのモジュール式印刷ヘッドユニットに係合しているときにノズル放出命令を前記制御システムから前記選択された１つのモジュール式印刷ヘッドユニットに提供することと
を含む、方法。